(57)【要約】【課題】記録媒体の向きが変化しても、ヘッドブロックのつなぎ目部分のノズルから吐出されたインクで濃度ムラが発生するのを抑制し良好な画像を形成する。【解決手段】インクヘッド１２０ａ〜１２０ｃどうしが一部重なるつなぎ目において、つなぎ目ノズル１３８ａ，１３２ｂ，１３８ｂ，１３２ｃからのインクの吐出ドロップ数を、印刷用紙に形成されるつなぎ目ドット２３８ａ，２３２ｂ，２３８ｂ，２３２ｃに濃度ムラが発生するのを抑制するためにつなぎ目補正する。また、その補正内容を、予め設定されたプロファイルデータに基づいて補正する。このプロファイルデータでは、つなぎ目ドット２３８ａ，２３２ｂ，２３８ｂ，２３２ｃのドット間隔と、ドット間隔が特定される印刷用紙の向きに対応する印刷用紙の搬送方向における位置に対応する、印刷用紙におけるつなぎ目ドット２３８ａ，２３２ｂ，２３８ｂ，２３２ｃが形成されたライン位置とを、関連付ける。【選択図】図６
2014069324.tif 000002
【特許請求の範囲】
【請求項１】
無端の搬送ベルトによる記録媒体の搬送方向と直交する主走査方向に沿って千鳥状に複数配置した各ヘッドブロックのうち、前記主走査方向に相互に、隣接するヘッドブロックが、前記搬送方向において重なるつなぎ目部分に対応するつなぎ目ノズルからのインク吐出量を、前記主走査方向に隣接する２つのつなぎ目ノズルの前記主走査方向におけるノズル間隔に基づいて、吐出制御する画像形成装置において、
前記２つのつなぎ目ノズルからそれぞれ吐出したインクの吐出により、前記記録媒体に形成される２つのつなぎ目ドットの間隔が、前記記録媒体の向きを基準にした方向に沿って決められ、２つのつなぎ目ドットの間隔を、前記搬送ベルト上における搬送方向に沿った搬送位置毎に対応付けたプロファイルデータを記憶する記憶手段と、
各つなぎ目ドットに対応する搬送位置と、前記プロファイルデータを参照して取得したドット間隔とに基づいて、前記各つなぎ目ドットに対応するつなぎ目ノズルの吐出制御を補正する補正手段と、
を備えることを特徴とする画像形成装置。
【請求項２】
前記搬送ベルト上における前記記録媒体の位置を検出する記録媒体位置検出手段をさらに備えており、前記補正手段は、前記記録媒体位置検出手段の検出位置と前記記録媒体に形成する画像のデータとから割り出した、前記搬送ベルト上における前記記録媒体の搬送位置に、前記プロファイルデータにおいて対応付けられたドット間隔に基づいて、前記つなぎ目ノズルの吐出制御を補正することを特徴とする請求項１記載の画像形成装置。
【発明の詳細な説明】
【技術分野】
【０００１】
本発明は、搬送経路上を搬送される記録媒体にインクジェットヘッドからインクを吐出して画像を形成する画像形成装置に関する。
【背景技術】
【０００２】
搬送経路上を搬送される記録媒体にインクジェットヘッドのノズルからインクを吐出して画像を形成するインクジェット記録装置では、ノズルに連通するインク室がインクジェットヘッド内部に設けられ、インク室の容積を駆動信号により変更（膨張、収縮）させることで、ノズルからインクの液滴を吐出させる。
【０００３】
上述したインクジェットヘッドは、記録媒体の搬送方向と直交する主走査方向に沿って配置した複数のヘッドブロックで構成されることがある。この場合、隣り合う２つのヘッドブロックは、互いの端部どうしが一部重なるように、記録媒体の搬送方向（副走査方向）に位置をずらして千鳥状に配置される。
【０００４】
主走査方向において２つのヘッドブロックの端部どうしが重なるつなぎ目部分では、各ヘッドブロックの主走査方向において隣り合うノズルどうしの間隔が、両ヘッドブロックの位置決め精度次第で、同じヘッドブロック内のノズル間隔とは異なる場合がある。つなぎ目部分におけるノズル間隔が他の部分のノズル間隔と異なると、着弾したインクのドット間隔にずれが生じ、形成した画像中に搬送方向の白スジや黒スジが発生して、画像の濃度にムラが生じる。
【０００５】
そこで、つなぎ目部分における濃度ムラの発生を防ぐために、つなぎ目部分のノズルどうしの間隔に応じた補正内容で、つなぎ目部分のノズルによるインクの吐出量の補正（つなぎ目補正）を行うことが知られている（例えば、特許文献１）。
【０００６】
このつなぎ目補正を行う際、記録媒体が搬送方向に対して傾いて搬送される斜行が起こると、記録媒体に斜行がないことを前提に決定した内容のつなぎ目補正を行っても、濃度ムラの発生を防ぐことができなくなる。そこで、記録媒体が斜行している場合に、斜行角度に応じてつなぎ目補正の内容をさらに補正する提案が行われている（例えば、特許文献２）。
【０００７】
また、記録媒体が斜行していなくても、インクジェットヘッド又はヘッドブロックが記録媒体の搬送方向に対して傾いて取り付けられていると、正しい向きのインクジェットヘッドに対して記録媒体が斜行した場合と同様の状況が発生する。そこで、このような場合に、搬送方向（即ち、記録媒体の向き）に対するインクジェットヘッドの傾き角度に応じて、つなぎ目補正の内容をさらに補正する提案も行われている（例えば、特許文献３，４）。
【先行技術文献】
【特許文献】
【０００８】
【特許文献１】特開２００４−１５４９５０号公報
【特許文献２】特開２０１０−２６９５２７号公報
【特許文献３】特開２００７−１９６４８３号公報
【特許文献４】特開２００８−２２１８３２号公報
【発明の概要】
【発明が解決しようとする課題】
【０００９】
ところで、無端の搬送ベルトによりインクジェットヘッドに搬送される記録媒体には、搬送中に向きの変化が起こることがある。この向きの変化は、例えば、搬送ベルトを周回駆動させるプーリ等の要素が有する特性の個体差や、消耗による特性の変化等によって発生する。
【００１０】
そして、搬送中に記録媒体の向きが変化すると、ヘッドブロックのつなぎ目部分のノズルから吐出されたインクによって記録媒体に生じる濃度ムラも変化するので、上述した記録媒体の斜行角度やインクジェットヘッドの傾き角度に応じた一義的なつなぎ目補正では、濃度ムラを解消することができない。
【００１１】
本発明は、以上の点に鑑みてなされたもので、本発明の目的は、搬送ベルトにより搬送される記録媒体の向きが変化しても、ヘッドブロックのつなぎ目部分のノズルから吐出されたインクで濃度ムラが発生するのを抑制し良好な画像を形成できる画像形成装置を提供することにある。
【課題を解決するための手段】
【００１２】
上記目的を達成するために本発明は、
無端の搬送ベルト（例えば、図１の搬送ベルト１６０）による記録媒体（例えば、図２の印刷用紙１０）の搬送方向と直交する主走査方向に沿って千鳥状に複数配置した各ヘッドブロック（例えば、図３のインクヘッド１２０）のうち、前記主走査方向に相互に、隣接するヘッドブロックが、前記搬送方向において重なるつなぎ目（例えば、図３のつなぎ目ｂ２）部分に対応するつなぎ目ノズル（例えば、図７のつなぎ目ノズル１３８ａ，１３２ｂ，１３８ｂ，１３２ｃ）からの吐出量を、前記主走査方向に隣接する２つのつなぎ目ノズルの前記主走査方向におけるノズル間隔に基づいて、吐出制御する画像形成装置において、
前記２つの前記つなぎ目ノズルからそれぞれ吐出したインクの吐出により、前記記録媒体に形成される２つのつなぎ目ドット（例えば、図６のつなぎ目ドット２３８ａ，２３２ｂ，２３８ｂ，２３２ｃ）の間隔（例えば、図７のドット間隔δ（ｙ））が、前記記録媒体の向きを基準にした方向に沿って決められ、２つのつなぎ目ドットの間隔を、前記搬送ベルト上における搬送方向に沿った搬送位置毎に対応付けたプロファイルデータ（例えば、図８のプロファイルデータＰ）を記憶する記憶手段（例えば、図８の記憶部３３４）と、
各つなぎ目ドットに対応する搬送位置と、前記プロファイルデータを参照して取得したドット間隔とに基づいて、前記つなぎ目ドットに対応するつなぎ目ノズルの吐出制御を補正する補正手段（例えば、図８の演算処理部３３０）と、
を備えることを特徴とする。
【００１３】
上記発明によれば、主走査方向に隣接する２つのつなぎ目ノズルからの吐出インクで記録媒体に形成される２つのつなぎ目ドットの、記録媒体の向きを基準にした方向におけるドット間隔は、つなぎ目ドットが形成されるときの、搬送ベルト上における記録媒体の向きによって特定される。
【００１４】
そして、搬送ベルト上での記録媒体の向きは、搬送ベルトやこれを周回駆動させる要素の特性や状態に起因するので、搬送ベルトの一周を周期とし、搬送ベルトの周回に同期して変化する。したがって、つなぎ目ドットが形成されるときの搬送ベルト上における記録媒体の向きは、搬送ベルト上におけるつなぎ目ドットの搬送方向における位置に応じて特定される。
【００１５】
そこで、搬送ベルト上におけるつなぎ目ドットの搬送方向に沿った搬送位置と、記録媒体の向きを基準にした方向における２つのつなぎ目ドットのドット間隔とを、プロファイルデータ化した。
【００１６】
ここで、搬送ベルト上における記録媒体の搬送方向における位置は、搬送方向における搬送ベルトの位置と、記録媒体に形成する画像のデータとにより特定することができる。このため、プロファイルデータを用いて、搬送ベルト上におけるつなぎ目ドットの搬送方向に沿った搬送位置から、記録媒体上でのつなぎ目ドットのドット間隔を特定し、このドット間隔に応じてつなぎ目補正の内容を補正手段により補正させることができる。
【００１７】
よって、搬送ベルトにより搬送される記録媒体の向きが変化しても、ヘッドブロックのつなぎ目部分のノズルから吐出されたインクで濃度ムラが発生するのを抑制し良好な画像を形成することができる。
【００１８】
また、本発明は、前記搬送ベルト上における前記記録媒体の位置を検出する記録媒体位置検出手段（例えば、図８の演算処理部３３０）をさらに備えており、前記補正手段は、前記記録媒体位置検出手段の検出位置と前記記録媒体に形成する画像のデータとから割り出した、前記搬送ベルト上における前記記録媒体の搬送位置に、前記プロファイルデータにおいて対応付けられたドット間隔に基づいて、前記つなぎ目ノズルの吐出制御を補正することを特徴とする。
【００１９】
上記発明によれば、記録媒体位置検出手段の検出結果と記録媒体に形成する画像のデータとから、搬送ベルト上における記録媒体の搬送位置を容易に割り出して、２つのつなぎ目ドットの間隔からつなぎ目ノズルの吐出制御の補正内容を容易に認識することができる。
【００２０】
なお、上記発明において、前記補正手段は、前記つなぎ目補正の内容補正により、前記つなぎ目ノズルが前記つなぎ目ドットに対して吐出するインクのドロップ数を変更するようにしてもよい。上記発明によれば、つなぎ目補正の内容補正をインクの吐出ドロップ数の変更によって行う際に、補正後のドロップ数が小数点以下を含む数となった場合は、小数点以下の値が積算されて整数に達するまで、誤差拡散法等で周辺のつなぎ目ドットに繰り越すことで、記憶手段に記憶させるプロファイルデータのデータ量を少なく抑えることができる。
【００２１】
また、上記発明において、前記記憶手段は、前記インクの色別に前記プロファイルデータをそれぞれ記憶しており、前記補正手段は、前記インクの色別に前記プロファイルデータをそれぞれ参照して、前記つなぎ目補正の内容補正をインクの色別にそれぞれ行うようにしてもよい。
【００２２】
上記発明によれば、２つ以上の色についてヘッドブロックがそれぞれ個別に存在するので、つなぎ目ノズルからの吐出インクで記録媒体に形成される各色のつなぎ目ドットのドット間隔が、搬送方向における搬送ベルト上でのつなぎ目ドットの位置に応じて変化するパターンは、各色毎に異なるものとなる。したがって、各色のインクを重ねて重色の画像を形成すると、それにより発生する濃度ムラの内容が、単色で画像を形成するのに比べて複雑化する。
【００２３】
これに対し、各色別のプロファイルデータを参照して、つなぎ目ドットのドット間隔によりつなぎ目補正の内容を各色毎にそれぞれ個別に補正することで、重色の画像を形成した場合の複雑なパターンの濃度ムラについても、発生を抑制して良好な画像を形成することができる。
【発明の効果】
【００２４】
本発明によれば、搬送ベルトにより搬送される記録媒体の向きが変化しても、インクジェットヘッドのヘッドブロックのつなぎ目部分のノズルから吐出されたインクで濃度ムラが発生するのを抑制し良好な画像を形成することができる。
【図面の簡単な説明】
【００２５】
【図１】本発明の一実施形態に係るインクジェット記録装置の内部構成を示す概略断面図である。
【図２】図１の画像形成が行われる画像形成経路を側方から示す説明図である。
【図３】図１のインクジェット記録装置における搬送経路の上方に配置されるヘッドホルダー上に備えられたインクヘッドの配置を下方から示す説明図である。
【図４】図１のインクヘッドに配列されるノズルの配置を下方から示す説明図である。
【図５】つなぎ目ノズルを有するインクヘッドの配置と、そのインクヘッドにより形成される画像を示す説明図である。
【図６】つなぎ目に配置された一対のノズルの位置及び吐出されたインクの位置を示す説明図である。
【図７】つなぎ目に配置された一対のノズルの位置がズレて配置されたインクヘッドのつなぎ目補正後の吐出インクにより形成される画像を示す説明図である。
【図８】図１の演算処理部におけるドロップ量補正に係る機能モジュールを示すブロック図である。
【図９】搬送中に印刷用紙の向きが変化した場合に発生する濃度ムラを示す説明図である。
【図１０】図８の画像処理部がプロファイルデータを生成する際の手順を示すフローチャートである。
【図１１】プロファイルデータを生成する際に用いるテストパターンを印刷する際のインクジェット記録装置の動作を示す説明図である。
【図１２】画像処理部がつなぎ目ノズルによるインク吐出量のつなぎ目補正内容をプロファイルデータを参照して補正する際の手順を示すフローチャートである。
【発明を実施するための形態】
【００２６】
以下、本発明に係る画像形成装置の実施形態について図面を参照しつつ、詳細に説明する。
【００２７】
（インクジェット記録装置の全体構成）
本発明の実施形態について図面を参照して説明する。図１は本実施形態のインクジェット記録装置の内部構成を示す概略断面図である。図２は画像形成が行われる画像形成経路を側方から示す説明図である。
【００２８】
また、図３は画像形成経路の上方に配置されるヘッドホルダー上に備えられたインクヘッドの配置を下方から示す説明図である。図４は各インクヘッドに配列されるノズルの配置を下方から示す説明図である。
【００２９】
さらに、図５はインクヘッドどうしのつなぎ目に配置されたつなぎ目ノズルを有するインクヘッドの配置と、そのインクヘッドにより形成される画像を示す説明図である。図６はつなぎ目に配置された一対のノズルの位置及び吐出されたインクの位置を示す説明図である。図７はつなぎ目に配置された一対のノズルの位置がズレて配置されてインクヘッドにより形成される画像を示す説明図である。
【００３０】
図１に示すように、本実施形態のインクジェット記録装置１００（請求項中の画像形成装置に相当）は、インクジェット方式のラインカラープリンタである。したがって、インクジェット記録装置１００は、印刷用紙１０の供給を行う給紙機構、印刷用紙１０を搬送する用紙搬送部（搬送ベルト１６０を含む）、及び印刷済の印刷用紙１０（請求項中の記録媒体に相当）を排出する排紙機構としての排紙口１５０、用紙搬送部での搬送中に印刷用紙１０に印刷を行うヘッドユニット１１０、スキャナ部１４０等を備えている。
【００３１】
また、インクジェット記録装置１００は、ＣＰＵ、メモリ等が配置されたコントローラ基板等で構成される演算処理部３３０や、メニューを表示したりユーザからの操作を受け付けたりする操作パネル、及びその他の機能部（図示しない）を備えている。
【００３２】
スキャナ部１４０は、原稿のフィード装置と原稿画像の読み取り装置（いずれも図示せず）とを有しており、フィード装置のトレイにセットした原稿を搬送しながら読み取り装置により画像を読み取る。読み取った原稿画像は、演算処理部３３０によって画像データ化される。
【００３３】
ヘッドユニット１１０は、Ｃ（シアン）、Ｋ（ブラック）、Ｍ（マゼンタ）、Ｙ（イエロー）の各色毎に設けられている。各色のヘッドユニット１１０は、後述するように、用紙搬送方向Ｘに直交する主走査方向Ｙ（図３参照）に沿って複数のインクヘッド１２０（請求項中のヘッドブロックに相当）を千鳥状に配置して構成した長尺インクヘッドを有している。本実施形態のインクジェット記録装置１００では、搬送経路上を搬送される印刷用紙１０（図２参照）に、各ヘッドユニット１１０から各色のインクを重ねて吐出し画像を形成する。
【００３４】
サイド給紙台や給紙トレイ等の給紙機構から１枚ずつ給紙された印刷用紙は、ローラ等の駆動機構によって筐体内の給紙系搬送路に沿って搬送され、レジストローラ２４０に導かれる。ここでレジストローラ２４０は、印刷用紙１０の先端の位置あわせと斜行修正を行うために設けられた一対のローラである。給紙された印刷用紙１０はレジストローラ２４０で一時停止し、所定のタイミングでヘッドユニット１１０方向に搬送される。
【００３５】
レジストローラ２４０のさらに搬送方向Ｘの下流側には、図２に示すように、画像形成経路ＣＲ１が設けられている。
【００３６】
本実施形態に係るインクジェット記録装置１００は、その搬送経路として画像形成経路ＣＲ１を含んでおり、この画像形成経路ＣＲ１では、搬送ベルト１６０によって、印刷条件により定められる速度で印刷用紙１０が搬送される。この画像形成経路ＣＲ１の上方には、ヘッドユニット１１０が、搬送ベルト１６０に対向配置され、ヘッドユニット１１０に備えられた各インクヘッド１２０のノズルから、搬送ベルト１６０上の印刷用紙１０に対し、ライン単位で各色のインクを吐出し、複数の画像を互いに重なり合うように形成する。
【００３７】
詳述すると、画像形成経路ＣＲ１は、無端状の搬送ベルト１６０、搬送ベルト１６０の駆動機構である駆動ローラ１６１及び従動ローラ１６２等から構成され、この画像形成経路ＣＲ１の上方には、ヘッドホルダー５００が設けられ、インクヘッド１２０が保持されている。また、ヘッドホルダー５００は、インクヘッド１２０からインクを吐出させるための他の機能部分をユニット化して収納する。
【００３８】
搬送ベルト１６０は、駆動ローラ１６１により周回移動され、インクヘッド１２０と対向する範囲において摺動し、印刷用紙１０を搬送する。具体的に、この搬送ベルト１６０は、印刷用紙１０が搬送される搬送方向Ｘに直交させて配置された一対の駆動ローラ１６１及び従動ローラ１６２間に掛け回されて、駆動ローラ１６１の駆動力により、搬送方向Ｘに周回される。
【００３９】
そして、印刷用紙１０は、インクヘッド１２０の対向面に設けられた環状の搬送ベルト１６０によって印刷条件に応じた速度で搬送されながら、複数のインクヘッド１２０の各々が吐出したインクによりライン単位で画像形成される。
【００４０】
なお、搬送ベルト１６０の搬送方向Ｘにおける位置は、ホームポジションセンサ４６が搬送ベルト１６０のホームポジションに形成した不図示の位置検出孔を検出することで認識される。
【００４１】
インクヘッド１２０は、図３に示すように、搬送方向（副走査方向）Ｘに間隔をおいて複数列配置されており、２列で１色分のヘッドユニット１１０を構成している。インクヘッド１２０の各列Ｌ１，Ｌ２，Ｌ３…は、搬送方向Ｘにおいて互いに重ならない部分ｂ１が生じるように形成される。さらに、複数列Ｌ１，Ｌ２，Ｌ３…は、搬送方向Ｘにおいて、隣接する他の複数列と重なる部分であるつなぎ目ｂ２が生じるように千鳥状に配置されている。
【００４２】
本実施形態において、各列のインクヘッド１２０は、Ｃ（シアン）、Ｋ（ブラック）、Ｍ（マゼンタ）、Ｙ（イエロー）の４色のインクを吐出するように構成されている。図４に一部抽出して示すように、インクヘッド１２０ａ，１２０ｂ，１２０ｃには、その下面において、インクを吐出する複数のノズル１３１ａ〜１３９ａ，１３１ｂ〜１３９ｂ，１３１ｃ〜１３９ｃが、搬送方向Ｘと直交する主走査方向Ｙに配列されている。図４中で図示を省略した他のインクヘッド１２０にも、同様に複数のノズル１３０が配列されている。
【００４３】
このように配列された複数のノズル１３０から、画素毎に吐出するインクのドロップ量（液滴数）を変えることで、各画素のドットゲインを調整し、各色の濃度を変化させるとともに、ドロップのサイズを液滴量として調整する。
【００４４】
ここで、図４に一部抽出して示した各インクヘッド１２０ａ，１２０ｂ，１２０ｃは、図５に示すように、主走査方向Ｙにおいて、あるインクヘッド１２０ａ，１２０ｃと他のインクヘッド１２０ｂとが重なる部分である、つなぎ目ｂ２を形成させる。そして、各ヘッドのつなぎ目ｂ２において、図中のＡ１で示す領域に配置されたインクヘッド１２０ａ，１２０ｂのノズル１３８ａ，１３２ｃは、他のインクヘッド１２０ｂ，１２０ｃのつなぎ目ｂ２に配置されたノズル１３２ｂ，１３８ｂと、主走査方向Ｙの位置が一致するように配置される。
【００４５】
その上で、一方のノズルから通常通りのインクを吐出させ、他方のノズルからはインクを吐出させないようにして、２つのノズルによる吐出量の合計が１つのノズルによる通常の吐出量と同等になるような制御が行われる。また、各インクヘッド１２０ａ，１２０ｂ，１２０ｃの上端に位置するノズル１３１ａ，１３１ｂ，１３１ｃ（図４参照）及び、下端に位置するノズル１３９ａ，１３９ｂ，１３９ｃ（図４参照）についても、インクを吐出させないような制御が行われる。
【００４６】
図４や図５中で図示を省略した、他のインクヘッド１２０とその主走査方向Ｙにおける隣のインクヘッド１２０とが重なるつなぎ目に配置されるノズル１３０についても、同様の制御が行われる。
【００４７】
このように、通常、図４や図５中で図示したつなぎ目ｂ２に位置するインクヘッド１２０ａのノズル１３８ａと、インクヘッド１２０ｂのノズル１３２ｂとにおける主走査方向Ｙの位置、及びインクヘッド１２０ｃのノズル１３２ｃと、インクヘッド１２０ｂのノズル１３８ｂとの主走査方向Ｙにおける位置とは、一致するように配置されていることが前提となっている。
【００４８】
しかしながら、製造時に各ノズルを各インクヘッド１２０ａ，１２０ｂ，１２０ｃに均等に配置させることは困難である。また、インクヘッド１２０の取り付けの調整が不十分である場合もあり得るため、つなぎ目ノズルの位置を完全に一致させて配置させることも困難である。
【００４９】
そのため、つなぎ目ｂ２に位置するインクヘッド１２０ａのノズル１３８ａと、インクヘッド１２０ｂのノズル１３２ｂとにおける主走査方向Ｙの位置、及びインクヘッド１２０ｃのノズル１３２ｃと、インクヘッド１２０ｂのノズル１３８ｂとの主走査方向Ｙにおける位置とが、ずれて配置されることがある。すると、図６に示すように、つなぎ目ノズル１３８ａ，１３２ｂ、又はつなぎ目ノズル１３８ｂ，１３２ｃの主走査方向Ｙにおける間隔が、それらのつなぎ目ノズル１３８ａ，１３２ｂ，１３８ｂ，１３２ｃと他の隣接するノズルとの主走査方向Ｙにおける間隔とは異なるようになる。
【００５０】
これにより、つなぎ目ノズル１３８ａ，１３２ｂ、又はつなぎ目ノズル１３８ｂ，１３２ｃから吐出されたインクにより印刷用紙１０上に形成されるつなぎ目ドット２３８ａ，２３２ｂ、又は、つなぎ目ドット２３８ｂ，２３２ｃの、主走査方向Ｙにおけるドット間隔が、他の隣接するノズルからの吐出インクによるドットの間隔とは異なる寸法になる。このことが、画像上に白スジや黒スジ等の濃度ムラを発生させる原因となる。ここで、ｙは主走査方向Ｙにおけるつなぎ目ｂ２の位置順を示す通し番号である。
【００５１】
そこで、本実施形態では、濃度ムラを解消するために、このつなぎ目ノズル１３８ａ，１３２ｂ，１３８ｂ，１３２ｃにより吐出されるドロップ量を補正するようにしている。例えば、各つなぎ目ノズル１３８ａ，１３２ｂ、又は、つなぎ目ノズル１３８ｂ，１３２ｃによるインクの吐出量をそれぞれ減らすつなぎ目補正を行う。これにより、図７に示すように、印刷用紙１０上に形成されるつなぎ目ドット２３８ａ，２３２ｂ、又は、つなぎ目ドット２３８ｂ，２３２ｃのドット径は、他のドットよりも小さくなる。
【００５２】
また、本実施形態では、図４や図５中で図示を省略した、他のインクヘッド１２０とその主走査方向Ｙにおける隣のインクヘッド１２０とが重なるつなぎ目に配置されるノズル１３０についても、同様にドロップ量が補正される。
【００５３】
なお、インクの吐出量に代えて、あるいは、これと共に、インクを吐出させるつなぎ目ノズル１３８ａ，１３２ｂ、又は、つなぎ目ノズル１３８ｂ，１３２ｃを、どちらか一方にしたり両方にしたりする切り替えを、副走査方向Ｘにおいて適宜のパターンで行うことで、つなぎ目補正とすることもできる。
【００５４】
（演算処理部３３０の内部構成）
本実施形態におけるドロップ量補正機能は、インクジェット記録装置１００に備えられた演算処理部３３０によって、ヘッドユニット１１０及び各駆動手段の動作を制御することにより実現される。
【００５５】
図８は、演算処理部３３０におけるドロップ量補正に係る機能モジュールを示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００５６】
図８に示すように、演算処理部３３０は、主として、ジョブデータ受信部３３１と、画像処理部３３３と、駆動制御部３３２と、記憶部３３４と、操作信号取得部３３６と、用紙種別取得部３３５とを備えている。
【００５７】
ジョブデータ受信部３３１は、一連の印刷処理単位であるジョブデータを受信する通信インターフェースであり、受信したジョブデータに含まれる印刷データを画像処理部３３３に受け渡すモジュールである。
【００５８】
操作信号取得部３３６は、操作パネル３４０からユーザによる操作信号を受信するモジュールであり、受信した操作信号を解析し、ユーザ操作に応じた処理を他のモジュールに実行させる。特に、本実施形態において、この操作信号取得部３３６は、操作パネル３４０、又は外部通信を通じて接続されたプリンタドライバなどから、ドロップ量補正処理に関する指示操作や、印刷用紙１０の種別などの印刷設定情報を受け付ける。
【００５９】
用紙種別取得部３３５は、ジョブデータ受信部３３１や操作信号取得部３３６によって検出された、給紙に係る印刷用紙１０のサイズ、種類又は厚み等の用紙種別データとして取得するモジュールである。そして、用紙種別取得部３３５は、印刷処理に際し、取得した用紙種別データを駆動制御部３３２へ送信する。
【００６０】
記憶部３３４は、画像処理に関する各種データやプログラムを記憶保持するメモリ装置等であり、本実施形態においては、図６のつなぎ目ノズル１３８ａ，１３２ｂ，１３８ｂ，１３２ｃにより吐出されるドロップ量を補正するつなぎ目補正の補正内容をさらに補正するためのプロファイルデータＰが記憶されている。
【００６１】
このプロファイルデータＰは、副走査方向（印刷用紙１０の搬送方向）Ｘにおける搬送ベルト１６０上でのつなぎ目ノズル１３８ａ，１３２ｂ，１３８ｂ，１３２ｃの位置と、図７に示す、印刷用紙１０に形成されたつなぎ目ドット２３８ａ，２３２ｂ、又は、つなぎ目ドット２３８ｂ，２３２ｃの、印刷用紙１０の先端辺に沿った方向（請求項中の記録媒体の向きを基準にした方向に相当。以下、「先端辺方向ｈ」と称する。）におけるドット間隔δ（ｙ）とを対応付けたものである。
【００６２】
また、このプロファイルデータＰでは、図４乃至図６中で図示を省略した、他のインクヘッド１２０とその主走査方向Ｙにおける隣のインクヘッド１２０とが重なるつなぎ目に配置されるノズル１３０の、副走査方向（印刷用紙１０の搬送方向）Ｘにおける搬送ベルト１６０上での位置と、つなぎ目に配置されたノズル１３０から印刷用紙１０に吐出されたつなぎ目ドット（図示せず）の、印刷用紙１０の先端辺方向ｈにおけるドット間隔δ（ｙ）（図７参照）とについても、対応付けられている。
【００６３】
ここで、記憶部３３４のプロファイルデータＰの役割について説明する。無端の搬送ベルト１６０によりヘッドユニット１１０に搬送される印刷用紙１０には、搬送中に向きの変化が起こることがある。この向きの変化は、例えば、搬送ベルト１６０を周回駆動させる駆動ローラ１６１や従動ローラ１６２等が有する特性の個体差や、消耗による特性の変化等によって発生する。
【００６４】
そして、搬送中に印刷用紙１０の向きが変化すると、インクヘッド１２０のつなぎ目ノズル１３８ａ，１３２ｂ，１３８ｂ，１３２ｃから吐出されたインクによって印刷用紙１０に形成される画像に生じる濃度ムラ、即ち、つなぎ目ドット２３８ａ，２３２ｂ、又は、つなぎ目ドット２３８ｂ，２３２ｃの部分に生じる濃度ムラが、印刷用紙１０の先端辺方向ｈと直交する側辺方向ｓ（図７参照）において変化する。
【００６５】
即ち、搬送中の印刷用紙１０の向きが一定であるときにつなぎ目ノズル１３８ａ，１３２ｂ，１３８ｂ，１３２ｃからの吐出インクで形成されたつなぎ目ドット２３８ａ，２３２ｂ，２３８ｂ，２３２ｃに発生する濃度ムラ（白スジや黒スジ）は、印刷用紙１０の側辺方向ｓに沿って一直線上に現れる。
【００６６】
ところが、搬送中に印刷用紙１０の向きが変化すると、図９に示すように、白スジや黒スジが印刷用紙１０の側辺方向ｓにおいてまだらに存在する濃度ムラが発生する。以下、その理由について説明する。
【００６７】
搬送中に印刷用紙１０の向きが変わると、主走査方向Ｙに対する印刷用紙１０の先端辺方向ｈの相対的な向きが印刷用紙１０の搬送中に変化する。すると、図７に示すつなぎ目ドット２３８ａ，２３２ｂやつなぎ目ドット２３８ｂ，２３２ｃが、印刷用紙１０の先端辺方向ｈに対して傾いて形成される。それにより、印刷用紙１０の側辺方向ｓにおける各ライン上に形成された、つなぎ目ドット２３８ａ，２３２ｂやつなぎ目ドット２３８ｂ，２３２ｃの先端辺方向ｈにおけるドット間隔δ（ｙ）が、同じ間隔でなくなり変化するようになる。このドット間隔δ（ｙ）の変化が、印刷用紙１０に発生する白スジや黒スジにまだらな濃度ムラが生じる原因となる。
【００６８】
このような、白スジや黒スジに生じるまだらな濃度ムラに対して、上述した通常のつなぎ目補正では、つなぎ目ノズル１３８ａ，１３２ｂ，１３８ｂ，１３２ｃからのインク吐出量（ドロップ）を一義的に補正するので、搬送中における印刷用紙１０の連続的な向きの変化に対しては、濃度ムラを解消するような補正を行うことができない。
【００６９】
そこで、本実施形態では、印刷用紙１０の向きと共に変化する、つなぎ目ドット２３８ａ，２３２ｂ、又は、つなぎ目ドット２３８ｂ，２３２ｃのドット間隔δ（ｙ）（図７参照）に応じて、つなぎ目補正の内容を、後述する画像処理部３３３の補正制御部３３３ｃによって補正するようにしている。
【００７０】
上述したドット間隔δ（ｙ）は、インクヘッド１２０のつなぎ目ノズル１３８ａ，１３２ｂ，１３８ｂ，１３２ｃからインクが吐出されるときの、搬送ベルト１６０上における印刷用紙１０の向きによって決まる。
【００７１】
搬送ベルト１６０上での印刷用紙１０の向きは、搬送ベルト１６０や駆動ローラ１６１や従動ローラ１６２等の特性や状態に起因するので、搬送ベルト１６０の一周を周期とし、搬送ベルト１６０の周回に同期して変化する。したがって、つなぎ目ノズル１３８ａ，１３２ｂ，１３８ｂ，１３２ｃからインクが吐出されて、つなぎ目ドット２３８ａ，２３２ｂ、又は、つなぎ目ドット２３８ｂ，２３２ｃが印刷用紙１０に形成されるときの、搬送ベルト１６０上における印刷用紙１０の向きは、その時点における搬送ベルト１６０のホームポジションからの移動量、つまり、搬送ベルト１６０の搬送方向（副走査方向）Ｘにおける位置に応じて特定される。
【００７２】
そこで、つなぎ目ノズル１３８ａ，１３２ｂ，１３８ｂ，１３２ｃからつなぎ目ドット２３８ａ，２３２ｂ，２３８ｂ，２３２ｃにインクが吐出されるときの、搬送ベルト１６０の搬送方向（副走査方向）Ｘにおける位置と、印刷用紙１０の先端辺方向ｈを基準にした方向における２つのつなぎ目ドット２３８ａ，２３２ｂ、又は、つなぎ目ドット２３８ｂ，２３２ｃのドット間隔δ（ｙ）とを、関連付けてプロファイルデータ化する。
【００７３】
ここで、搬送ベルト１６０の搬送方向（副走査方向）Ｘにおける位置は、ホームポジションセンサ４６が搬送ベルト１６０のホームポジションを検出してから、つなぎ目ノズル１３８ａ，１３２ｂ，１３８ｂ，１３２ｃがつなぎ目ドット２３８ａ，２３２ｂ，２３８ｂ，２３２ｃにインクを吐出するまでの、搬送ベルト１６０の移動量によって、特定することができる。
【００７４】
このため、記憶部３３４のプロファイルデータＰを参照して、つなぎ目ノズル１３８ａ，１３２ｂ，１３８ｂ，１３２ｃがつなぎ目ドット２３８ａ，２３２ｂ，２３８ｂ，２３２ｃにインクを吐出するときの、搬送ベルト１６０のホームポジションからの移動量により、印刷用紙１０上でのつなぎ目ドット２３８ａ，２３２ｂ、又は、つなぎ目ドット２３８ｂ，２３２ｃのドット間隔δ（ｙ）を特定できるようにした。これにより、ドット間隔δ（ｙ）に応じてつなぎ目補正の内容を、画像処理部３３３の補正制御部３３３ｃにより補正させることができる。
【００７５】
なお、インクジェット記録装置１００は、Ｃ（シアン）、Ｋ（ブラック）、Ｍ（マゼンタ）、Ｙ（イエロー）の各色毎にヘッドユニット１１０を有しているので、上述したつなぎ目補正は、各色のヘッドユニット１１０の各インクヘッド１２０のつなぎ目ｂ２においてそれぞれ行われる。したがって、記憶部３３４のプロファイルデータＰは、各色の各つなぎ目ｂ２部分についてそれぞれ設けられる。
【００７６】
また、このプロファイルデータＰは、各インクジェット記録装置１００における固体差を含めて、装置毎に個別に設定してもよい。この固体差による情報には、例えば、インクヘッド１２０の取付け精度、印刷用紙１０を搬送する搬送ベルト１６０の蛇行情報、インクジェット記録装置１００の駆動による温度変化に応じた、各駆動手段の変化に関する情報が含まれる。さらに、このプロファイルデータＰを取得するタイミングとして、本実施形態においては、工場出荷時としている。しかし、この取得タイミングは、工場出荷時に限定されず、例えば、印刷開始時、環境変化時、経時変化時やメンテナンス時などを契機とすることもできる。
【００７７】
駆動制御部３３２は、搬送ベルト１６０等を駆動させる各駆動手段３５０など、インクジェット記録装置１００内各機能の動作を制御するモジュールである。
【００７８】
画像処理部３３３は、画像処理に特化したデジタル信号処理を行う演算処理装置であり、印刷に必要な画像データの変換等を行い、印刷を実行するモジュールである。この画像処理部３３３は、補正制御部３３３ｃの他に、画像形成制御部３３３ｂ、色変換回路３３３ａとを備えている。
【００７９】
色変換回路３３３ａは、取得した画像データであるＲＧＢ印刷画像をＣＭＹＫ印刷画像に変換するモジュールである。また、本実施形態においては、色変換回路３３３ａは、画像データをハーフトーン処理して、インクヘッド１２０のドロップ量に関する画像データに変換する。
【００８０】
画像形成制御部３３３ｂは、各色のインクヘッド１２０の駆動や、搬送経路の駆動手段の動作を制御し、画像形成処理全体を制御するモジュールである。また、画像形成制御部３３３ｂは、補正制御部３３３ｃを備えている。
【００８１】
補正制御部３３３ｃは、記憶部３３４に記憶されているプロファイルデータＰに基づいて、ノズル１３０から吐出されるドロップ量を補正するモジュールである。
【００８２】
次に、記憶部３３４のプロファイルデータＰのプロファイリング手順、即ち、プロファイルデータＰの生成手順について説明する。図１０はプロファイルデータの生成手順を示すフローチャートである。
【００８３】
プロファイルデータＰの生成に当たっては、まず、図１０のステップＳ１において、つなぎ目ドット２３８ａ，２３２ｂ、又は、つなぎ目ドット２３８ｂ，２３２ｃのドット間隔δ（ｙ）、即ち、つなぎ目距離を算出するためのテストパターンを、インクジェット記録装置１００によって印刷する。
【００８４】
このテストパターンは、図１１に示すように、インクヘッド１２０ａ〜１２０ｃの例えば１０個おきのノズルからインクを吐出させて印刷する。このとき、印刷用紙１０のテストパターン画像上では、各ドットが１０個分のノズル間隔のピッチ（ドット間隔）で形成される。
【００８５】
このとき、一対のつなぎ目ノズル１３８ａ，１３２ｂ、又は、一対のつなぎ目ノズル１３８ｂ，１３２ｃについては、つなぎ目補正の内容にしたがって、どちらか一方のノズルからインクを吐出させてもよく、両方のノズルからインクを吐出させてもよい。
【００８６】
但し、インクヘッド１２０ａ〜１２０ｃのつなぎ目ｂ２部分を跨ぐドット間では、１０個分のノズル間隔に、つなぎ目ドット２３８ａ，２３２ｂ、又は、つなぎ目ドット２３８ｂ，２３２ｃのドット間隔δ（ｙ）を加え、又は、差し引いたドット間隔になる。
【００８７】
このため、インクヘッド１２０ａ〜１２０ｃのつなぎ目ｂ２部分を跨ぐノズル１３２からのインクで形成された隣接する２つのドット間のピッチを、各インクヘッド１２０ａ〜１２０ｃにおけるノズル間隔で除すると、その余りが、つなぎ目ドット２３８ａ，２３２ｂ、又は、つなぎ目ドット２３８ｂ，２３２ｃのドット間隔δ（ｙ）となる。
【００８８】
そこで、上述した１０個分のノズル間隔のピッチで印刷用紙１０に搬送方向（副走査方向）Ｘの全長に亘るライン分のテストパターンを印刷する。そして、図１０のステップＳ３において、スキャナ部１４０でテストパターンを読み取り、さらに、ステップＳ５において、その画像データを画像処理部３３３で解析して、つなぎ目ドット２３８ａ，２３２ｂ、又は、つなぎ目ドット２３８ｂ，２３２ｃのドット間隔δ（ｙ）、即ち、つなぎ目距離を算出する。
【００８９】
ここで、印刷用紙１０の用紙幅方向（主走査方向Ｙ）におけるつなぎ目ドット２３８ａ，２３２ｂ、又は、つなぎ目ドット２３８ｂ，２３２ｃの位置は、画像処理部３３３が予め認識しているものとする。
【００９０】
そして、画像処理部３３３は、図１０のステップＳ７において、印刷用紙１０の側辺方向ｓ（図７参照）の各ライン（ｘ（ｓｔａｒｔ）〜ｘ（ｅｎｄ））について、つなぎ目距離δ（ｙ）をそれぞれ算出する。算出した各ラインのつなぎ目距離δ（ｙ）は、プロファイルデータＰとして画像処理部３３３が記憶部３３４に記憶させる。
【００９１】
ここで、印刷用紙１０に画像を印刷するときには、印刷用紙１０が搬送ベルト１６０のホームポジションに対して予め決められた位置に給紙される。したがって、搬送ベルト１６０上の印刷用紙１０における各ラインの位置は、搬送ベルト１６０上の搬送方向（副走査方向）Ｘにおいて常に同じ位置となる。したがって、本実施形態では、印刷用紙１０の搬送ベルト１６０による搬送を制御する演算処理部３３０が、請求項中の記録媒体位置検出手段に対応することになる。
【００９２】
そこで、本実施形態では、印刷用紙１０の各ラインにテストパターンを印刷したときの、搬送ベルト１６０のホームポジションからの搬送方向における相対位置を、印刷用紙１０の側辺方向ｓにおけるテストパターンの印刷ラインの位置によって置き換え、これを、各ラインのつなぎ目距離δ（ｙ）と関連付けて、記憶部３３４にプロファイルデータＰとして記憶させる。
【００９３】
以上の手順を、印刷用紙１０の側辺方向ｓの全長に亘る各ライン（ｘ（ｓｔａｒｔ）〜ｘ（ｅｎｄ））について行ったならば（図１０のステップＳ１１でＹＥＳ）、一連の手順を終了する。
【００９４】
次に、画像処理部３３３がつなぎ目ノズル１３８ａ，１３２ｂ、又は、つなぎ目ノズル１３８ｂ，１３２ｃによるインク吐出量のつなぎ目補正内容を、記憶部３３４のプロファイルデータＰを参照して補正する際の手順について、図１２のフローチャートを用いて説明する。
【００９５】
まず、画像処理部３３３は、印刷用紙１０に印刷する画像の対象画素を順次移動させつつ、対象画素が、つなぎ目ｂ２の１番目〜ｎ番目のいずれかに対応する画素であるかを確認し（ステップＳ２１）、対応しない場合は（ステップＳ２１でＮＯ）、対象画素に対応するノズルからドロップデータのままインクを吐出させて（ステップＳ２３）、後述するステップＳ４５に進む。
【００９６】
一方、対象画素が、つなぎ目ｂ２の１番目〜ｎ番目のいずれかに対応する画素である場合は（ステップＳ２１でＹＥＳ）、対象画素が、印刷用紙１０の側辺方向ｓにおける先頭ライン（ｘ（ｓｔａｒｔ））の画素であるか否かを確認する（ステップＳ２５）。
【００９７】
先頭ラインの画素である場合は（ステップＳ２５でＹＥＳ）、プロファイルデータＰの、印刷用紙１０の先頭ラインに対応するつなぎ目距離δ（ｙ）から、その距離に対応するつなぎ目補正の補正内容を決定する。そして、決定した補正内容に対応する補正係数を、つなぎ目補正したドロップデータに乗算する（ステップＳ２７）。
【００９８】
ここで、つなぎ目補正は、例えば、特開２０１０−２６９５２７号公報の段落００４９〜００６０に開示された内容とすることができる。そして、ステップＳ２７では、つなぎ目補正後のドロップデータに、プロファイルデータＰの先頭ラインのつなぎ目距離δ（ｙ）に対応する補正係数を乗じる。
【００９９】
次に、乗算後のドロップデータを小数点よりも上の整数部と小数点以下の小数部とに分け（ステップＳ２９）、小数部を不図示のメモリに保存して（ステップＳ３１）、残った整数部をドロップデータとして用い、対象のつなぎ目ノズル１３８ａ，１３２ｂ、又は、つなぎ目ノズル１３８ｂ，１３２ｃからインクを吐出させる（ステップＳ３３）。
【０１００】
これに対し、先頭ライン（ｘ（ｓｔａｒｔ））の画素でない場合は（ステップＳ２５でＮＯ）、プロファイルデータＰの、印刷用紙１０の先頭ラインに対応するつなぎ目距離δ（ｙ）から、その距離に対応するつなぎ目補正の補正内容を決定する。そして、決定した補正内容に対応する補正係数を、つなぎ目補正したドロップデータに乗算する（ステップＳ３５）。
【０１０１】
次に、乗算後のドロップデータに、不図示のメモリの保存値を加算して（ステップＳ３７）、加算後のドロップデータを小数点よりも上の整数部と小数点以下の小数部とに分ける（ステップＳ３９）。
【０１０２】
そして、小数部を不図示のメモリに保存して（ステップＳ４１）、残った整数部をドロップデータとして用い、対象のつなぎ目ノズル１３８ａ，１３２ｂ、又は、つなぎ目ノズル１３８ｂ，１３２ｃからインクを吐出させた後（ステップＳ４３）、ステップＳ４５に進む。
【０１０３】
ステップＳ４５では、全ライン（ｘ（ｓｔａｒｔ）〜ｘ（ｅｎｄ））の全ての画素について、インクの吐出が済んだかどうかを確認し、済んでいない場合は（ステップＳ４５でＮＯ）、ステップＳ２１にリターンする。全画素についてインクの吐出が済んだ場合は（ステップＳ４５でＹＥＳ）、一連の手順を終了する。
【０１０４】
以上の説明からも明らかなように、本実施形態では、演算処理部３３０が、請求項中の補正手段に対応している。
【０１０５】
（作用・効果）
このような本実施形態によれば、つなぎ目ノズル１３８ａ，１３２ｂ，１３８ｂ，１３２ｃから吐出されるインクで印刷用紙１０に形成されるつなぎ目ドット２３８ａ，２３２ｂ，２３８ｂ，２３２ｃに濃度ムラが発生するのを抑制するために行う、各つなぎ目ノズル１３８ａ，１３２ｂ，１３８ｂ，１３２ｃからの吐出ドロップ量のつなぎ目補正を、予め設定されたプロファイルデータに基づいて補正する。
【０１０６】
そして、このプロファイルデータを、印刷用紙１０の先端辺方向ｈにおける、つなぎ目ドット２３８ａ，２３２ｂ、又は、つなぎ目ドット２３８ｂ，２３２ｃのドット間隔δ（ｙ）と、印刷用紙１０におけるつなぎ目ドット２３８ａ，２３２ｂ、又は、つなぎ目ドット２３８ｂ，２３２ｃの形成されたライン位置（ｘ（ｓｔａｒｔ）〜ｘ（ｅｎｄ））とを関連付けたものとした。
【０１０７】
印刷用紙１０におけるつなぎ目ドット２３８ａ，２３２ｂ、又は、つなぎ目ドット２３８ｂ，２３２ｃのライン位置（ｘ（ｓｔａｒｔ）〜ｘ（ｅｎｄ））は、つなぎ目ドット２３８ａ，２３２ｂ、又は、つなぎ目ドット２３８ｂ，２３２ｃにインクが吐出される際の、搬送ベルト１６０のホームポジションを基準にした搬送方向（副走査方向）Ｘにおけるつなぎ目ドット２３８ａ，２３２ｂ、又は、つなぎ目ドット２３８ｂ，２３２ｃの位置に対応する。
【０１０８】
この位置によって、搬送ベルト１６０上での印刷用紙１０の向きが特定され、印刷用紙１０の向きが特定されると、つなぎ目ドット２３８ａ，２３２ｂ、又は、つなぎ目ドット２３８ｂ，２３２ｃのドット間隔δ（ｙ）が特定される。
【０１０９】
このため、搬送ベルト１６０上での搬送中に印刷用紙１０の向きが変化しても、それに応じて変化する印刷用紙１０上の濃度ムラの発生を抑制するように、つなぎ目ノズル１３８ａ，１３２ｂ，１３８ｂ，１３２ｃから吐出されるインクに対するつなぎ目補正の内容を補正して、良好な画像を印刷用紙１０に形成することができる。
【０１１０】
なお、本実施形態では、つなぎ目補正の内容を補正することで、つなぎ目ノズル１３８ａ，１３２ｂ，１３８ｂ，１３２ｃから吐出されるインクのドロップ数が変わる場合があるものとしたが、つなぎ目補正の結果変化するのは、インクの吐出ドロップ数以外のパラメータであってもよい。
【０１１１】
また、本実施形態では、カラー印刷を行うインクジェット記録装置１００を例に取って説明したが、本発明は、単色のインクで単色印刷を行うインクジェット記録装置にも適用可能である。
【符号の説明】
【０１１２】
１０  印刷用紙
４６  ホームポジションセンサ
１００  インクジェット記録装置
１１０  ヘッドユニット
１２０，１２０ａ〜１２０ｃ  インクヘッド
１３０，１３１ａ〜１３９ａ，１３１ｂ〜１３９ｂ，１３１ｃ〜１３９ｃ  ノズル
１３７ａ〜１３９ａ，１３１ｂ〜１３３ｂ，１３７ｂ〜１３９ｂ，１３１ｃ〜１３３ｃ  つなぎ目ノズル
１４０  スキャナ部
１５０  排紙口
１６０  搬送ベルト
１６１  駆動ローラ
１６２  従動ローラ
２３８ａ，２３２ｂ，２３８ｂ，２３２ｃ  つなぎ目ドット
２４０  レジストローラ
３３０  演算処理部
３３１  ジョブデータ受信部
３３２  駆動制御部
３３３  画像処理部
３３３ａ  色変換回路
３３３ｂ  画像形成制御部
３３３ｃ  補正制御部
３３４  記憶部
３３５  用紙種別取得部
３３６  操作信号取得部
３４０  操作パネル
３５０  駆動手段
５００  ヘッドホルダー
Ａ１  つなぎ目ノズルの記録領域
ｂ１  搬送方向において重ならない部分
ｂ２  つなぎ目
ＣＲ１  画像形成経路
ｈ  印刷用紙の先端辺方向
Ｌ１，Ｌ２，Ｌ３  列
Ｐ  プロファイルデータ
ｓ  印刷用紙の側辺方向
Ｘ  副走査方向
Ｙ  主走査方向
【図１】
2014069324.tif 000003
【図２】
2014069324.tif 000004
【図３】
2014069324.tif 000005
【図４】
2014069324.tif 000006
【図５】
2014069324.tif 000007
【図６】
2014069324.tif 000008
【図７】
2014069324.tif 000009
【図８】
2014069324.tif 000010
【図９】
2014069324.tif 000011
【図１０】
2014069324.tif 000012
【図１１】
2014069324.tif 000013
【図１２】
2014069324.tif 000014